(57)【要約】【課題】画像処理装置において、映像出力端子毎に映像出力および機能に制限を設けたとしても、ユーザーの利便性を高くする。【解決手段】画像処理装置１００は第１の転送レートで映像信号を出力するＨＤＭＩ１２０と、第１の転送レートよりも低い第２の転送レートで映像信号を出力するＳＤＩ１１８とを備えている。ＨＤＭＩはＨＭＤＩモニター１２２が接続されたか否かを検出し、制御部１０８はＨＤＭＩモニターが接続されたことが検出された際、予め定められた条件が満たされた場合、ＨＭＤＩから映像信号を出力する。【選択図】図１
2018201076.tif 000002
【特許請求の範囲】
【請求項１】
第１の転送レートで映像信号を出力する第１の出力手段と、前記第１の転送レートよりも低い第２の転送レートで前記映像信号を出力する第２の出力手段とを備える画像処理装置であって、
前記第１の出力手段に外部機器が接続されたか否かを検出する検出手段と、
前記検出手段によって前記第１の出力手段に前記外部機器が接続されたことが検出された際、予め定められた条件が満たされた場合、前記第１の出力手段を制御して前記第１の出力手段から前記映像信号を出力する制御手段と、
を有することを特徴とする画像処理装置。
【請求項２】
前記検出手段によって前記第１の出力手段に前記外部機器が接続されたことが検出されない場合には、前記制御手段は前記第２の出力手段を制御して前記第２の出力手段から前記映像信号を出力することを特徴とする請求項１に記載の画像処理装置。
【請求項３】
被写体を撮像して前記映像信号を生成する撮像手段と、
前記撮像手段による撮像をアシストするアシスト手段と、を有し、
前記予め定められた条件は前記アシスト手段が無効に設定された状態であることを特徴とする請求項１又は２に記載の画像処理装置。
【請求項４】
前記アシスト手段が無効に設定されている場合には、前記制御手段は前記第１の出力手段に接続された前記外部機器が前記第１の出力手段から出力される前記映像信号を受信可能であると、前記第１の出力手段から前記映像信号を出力することを特徴とする請求項３に記載の画像処理装置。
【請求項５】
前記アシスト手段が有効に設定されている場合には、前記制御手段は前記第２の出力手段を制御して前記第２の出力手段から前記映像信号を出力することを特徴とする請求項３又は４に記載の画像処理装置。
【請求項６】
被写体を撮像して前記映像信号を生成する撮像手段と、
前記撮像手段で生成された前記映像信号を記録する記録手段と、を有し、
前記予め定められた条件は前記記録手段による前記映像信号の記録が行われていない状態であることを特徴とする請求項１又は２に記載の画像処理装置。
【請求項７】
前記記録手段による前記映像信号の記録が行われていない場合には、前記制御手段は前記第１の出力手段に接続された前記外部機器が前記第１の出力手段から出力される前記映像信号を受信可能であると、前記第１の出力手段から前記映像信号を出力することを特徴とする請求項６に記載の画像処理装置。
【請求項８】
前記記録手段による前記映像信号の記録が行われている場合には、前記制御手段は前記第２の出力手段を制御して前記第２の出力手段から前記映像信号を出力することを特徴とする請求項６又は７に記載の画像処理装置。
【請求項９】
前記第１の出力手段はＨＤＭＩであり、前記第２の出力手段はＳＤＩであることを特徴とする請求項１乃至８のいずれか１項に記載の画像処理装置。
【請求項１０】
前記第２の出力手段から映像信号を出力中である場合、前記制御手段は、前記第１の出力手段から前記映像信号を出力する前に、前記第２の出力手段からの映像信号の出力を停止することを特徴とする請求項１乃至９のいずれか１項に記載の画像処理装置。
【請求項１１】
前記検出手段によって前記第１の出力手段に前記外部機器が接続されたことが検出されない場合には、前記制御手段は、前記第１の出力手段から前記映像信号を出力しないことを特徴とする請求項１乃至１０のいずれか１項に記載の画像処理装置。
【請求項１２】
第１の転送レートで映像信号を出力する第１の出力手段と、前記第１の転送レートよりも低い第２の転送レートで前記映像信号を出力する第２の出力手段とを備える画像処理装置の制御方法であって、
前記第１の出力手段に外部機器が接続されたか否かを検出する検出ステップと、
前記検出ステップで前記第１の出力手段に前記外部機器が接続されたことが検出された際、予め定められた条件が満たされた場合、前記第１の出力手段を制御して前記第１の出力手段から前記映像信号を出力する制御ステップと、
を有することを特徴とする制御方法。
【請求項１３】
コンピュータを、請求項１乃至１１のいずれか１項に記載された画像処理装置の各手段として機能させるための制御プログラム。
【発明の詳細な説明】
【技術分野】
【０００１】
本発明は、画像処理装置、その制御方法、および制御プログラムに関し、特に、動画記録が可能な画像処理装置に関する。
【背景技術】
【０００２】
デジタルカメラなどの画像処理装置において、合焦を容易とするため画像の一部を拡大して表示する所謂拡大フォーカス機能を有するものがある。さらには、ピーキング表示、ゼブラ表示、およびＷａｖｅ  Ｆｏｒｍ  Ｍｏｎｉｔｏｒ（ＷＦＭ）などの撮影アシスト機能を有する画像処理装置が知られている。
【０００３】
例えば、拡大フォーカス機能およびピーキング表示機能を用いることによって、撮影の際に合焦を容易に行うことができる。さらには、ゼブラ表示およびＷＦＭを用いれば、画像における輝度の確認を行うに行うことができ、ユーザーの意図しない画像の撮影を防止することができる。
【０００４】
一方、４Ｋ（３８４０×２１６０乃至４０９６×２１６０）又は８Ｋ（７６８０×４３２０乃至８１９２×４３２０）に代表される高解像度の動画撮影が可能で、かつ複数の映像出力端子を有する画像処理装置が知られている。この種の画像処理装置では、映像出力端子として、３Ｇ−ＳＤＩ、ＨＤＭＩ（登録商標）、又はＤｉｓｐｌａｙ  Ｐｏｒｔなどか用いられる。
【０００５】
ところが、例えば、３Ｇ−ＳＤＩ端子を用いて４Ｋ６０ｐ出力に対応しようとすると、最低でも３Ｇ−ＳＤＩ端子が４つ必要になる。このため、高解像度の動画記録に対応して、かつ搭載された全ての３Ｇ−ＳＤＩ端子で高解像度の映像信号に対応すると、画像処理装置が大型化してコストアップとなってしまう。
【０００６】
そこで、映像出力端子毎の機能に制限を設定して、高解像度の映像信号出力に対応しつつ、価格を抑え、かつ手ごろなサイズの画像処理装置が登場している。例えば、撮影アシスト機能については、従来の解像度である２Ｋ（１９２０×１０８０乃至２０４８×１０８０）でも十分に機能する。よって、ＳＤＩ端子のみで撮影アシスト機能に対応して、１端子で４Ｋ出力に対応可能なＨＤＭＩ端子のみで４Ｋの映像信号出力に対応した画像処理装置がある。
【０００７】
さらに、コストダウンのため、カメラ本体などの画像処理装置本体にＥＶＦおよびパネルなどの表示部を備えず、より簡易な設計を行うとの観点に基づいて、映像信号の同時出力が可能な端子を制限した画像処理装置が知られている。
【０００８】
一方、撮影設定の変更によってユーザーが意図しない画像の撮影が行われることを防止するため、ズーム操作が行われた際に撮影設定の変更を禁止するようにした画像処理装置がある（特許文献１参照）。
【０００９】
また、外部装置の性能に応じて、記録および非記録の際に出力する信号を切り替え制御するようにした画像処理装置がある（特許文献２参照）。
【先行技術文献】
【特許文献】
【００１０】
【特許文献１】特開２０１２−６０５１０号公報
【特許文献２】特開平１０−１７４０５７号公報
【発明の概要】
【発明が解決しようとする課題】
【００１１】
ところで、映像出力端子に機能差が存在し、かつ複数の映像出力端子における映像信号の同時出力に制限が設定された画像処理装置も存在し得る。このような画像処理装置において、映像出力端子に外部機器が接続されたことを検知した場合に当該外部機器が接続された映像出力端子に映像信号の出力先を切り替える場合、画像処理装置の状態によっては以下のような問題が生じる。
【００１２】
例えば、３Ｇ−ＳＤＩ端子に接続されたモニターによって記録中の映像を確認している場合に、ＨＤＭＩ端子にモニターが接続されると、３Ｇ−ＳＤＩ端子が接続されたモニターにおける映像が消える。このため、一時的に映像の確認ができなくなるという事態が生じる。
【００１３】
また、撮影アシスト機能、例えば、拡大フォーカス機能を３Ｇ−ＳＤＩ端子に接続したモニターで利用している際においても、同様の問題が生じる。
【００１４】
この点については、特許文献１も特許文献２も画像処理装置の状態について考慮されていないため同様の問題が生じる。
【００１５】
そこで、本発明は映像出力端子毎に映像出力および機能に制限のある装置において、ユーザーの利便性が損なわれる可能性を低減することを目的とする。
【課題を解決するための手段】
【００１６】
上記の目的を達成するため、本発明による画像処理装置は、第１の転送レートで映像信号を出力する第１の出力手段と、前記第１の転送レートよりも低い第２の転送レートで前記映像信号を出力する第２の出力手段とを備える画像処理装置であって、前記第１の出力手段に外部機器が接続されたか否かを検出する検出手段と、前記検出手段によって前記第１の出力手段に前記外部機器が接続されたことが検出された際、予め定められた条件が満たされた場合、前記第１の出力手段を制御して前記第１の出力手段から前記映像信号を出力する制御手段と、を有することを特徴とする。
【発明の効果】
【００１７】
本発明によれば、映像出力端子毎に映像出力および機能に制限のある装置において、ユーザーの利便性が損なわれる可能性を低減することができる。
【図面の簡単な説明】
【００１８】
【図１】本発明の第１の実施形態による画像処理装置の一例についてその構成を示すブロック図である。
【図２】図１に示すカメラで行われる出力処理の一例を説明するためのフローチャートである。
【図３】本発明の第２の実施形態によるカメラにおける出力処理の一例を説明するためのフローチャートである。
【発明を実施するための形態】
【００１９】
以下に、本発明の実施の形態による画像処理装置の一例について図面を参照して説明する。
【００２０】
［第１の実施形態］
図１は、本発明の第１の実施形態による画像処理装置の一例についてその構成を示すブロック図である。
【００２１】
図示の画像処理装置は、例えば、デジタルカメラ（以下単にカメラと呼ぶ）であり、このカメラ１００は動画像を撮影して記録可能である。カメラ１００には、レンズユニット（以下単にレンズと呼ぶ）１０２が装着されている。
【００２２】
レンズ１０２は集光のための固定レンズ群、変倍レンズ群、絞り、および、変倍レンズ群の動きに応じて移動した結像位置を補正するとともに焦点調節を行う補正レンズ群を有している。そして、レンズ１０２によってイメージセンサー（撮像素子）１０３の結像面に被写体像（光学像）が結像する。
【００２３】
イメージセンサー１０３は、光学像に応じた画像信号（撮像信号）を生成して、当該撮像信号を前処理部１０４に出力する。なお、イメージセンサー１０３は、ＣＣＤイメージセンサー又はＣＭＯＳイメージセンサーなどの撮像素子である。
【００２４】
前処理部１０４は、撮像信号をＲＡＷデータ（ＲＡＷ画像）に変換してＲＡＷ処理部１０５に出力する。ＲＡＷ処理部１０５はＲＡＷデータを所定の比率で縮小した縮小ＲＡＷデータ又はＲＡＷデータから所定のサイズの画像切り出して切り出しＲＡＷデータを生成する（以下処理済みＲＡＷデータと呼ぶ）。そして、ＲＡＷ処理部１０５は当該処理済みＲＡＷデータをＤＲＡＭ１１０に格納する。さらに、ＲＡＷ処理部１０５は、記録用に前処理部１０４において生成されたＲＡＷデータ（全画角ＲＡＷデータ）をＤＲＡＭ１１０に格納する。
【００２５】
処理済みＲＡＷデータおよび全画角ＲＡＷデータのいずれを外部出力として用いるかについては、映像端子出力と拡大フォーカスの有効／無効の状態とに応じて変化する。例えば、４Ｋの画像を記録するモードにおいて、後述するＨＤＭＩ１２０から４Ｋの全画角映像信号を出力する際には、処理済みＲＡＷデータは用いない。
【００２６】
一方、４Ｋの画像データを記録するモードにおいて、ＳＤＩ１１８又はＨＤＭＩ１２０から２Ｋの全画角映像信号を出力する際には、ＲＡＷ処理部１０５は縮小ＲＡＷデータを生成する。また、ＳＤＩ１２０から拡大フォーカスされた映像信号を出力する際には、ＲＡＷ処理部１０５は切り出しＲＡＷデータを生成する。
【００２７】
画像生成部１０６は、処理済みＲＡＷデータおよび全画角ＲＡＷデータに対して補間処理および画質調整処理などのＲＡＷ現像処理を行ってＹＵＶ形式の画像データ（処理済みＹＵＶデータおよび全画角ＹＵＶデータ）を生成する。そして、画像生成部１０６は処理済みＹＵＶデータおよび全画角ＹＵＶデータ）をＤＲＡＭ１１０に格納する。
【００２８】
操作部１０７は、ユーザーによって操作される。操作部１０７は、例えば、タッチパネルおよび操作キー（ボタン、ダイヤル、およびレバーなど）などを備えている。ユーザーによって操作部１０７が操作されると、当該操作に応じた操作情報が制御部１０８に送られる。
【００２９】
なお、拡大フォーカスの有効および無効、ゼブラ、ピーキング、ＷＦＭの有効および無効状態について、操作部１０８を用いてそれぞれ独立に設定可能である。設定の際には、メニュー操作又は専用の物理キーの操作が行われる。
【００３０】
制御部１０８は、ＣＰＵなどを備えており、カメラ１００全体の制御を司る。ＲＡＭ１０９は、制御部１０８によって作業領域として用いられる。同様に、ＤＲＡＭ１１０は、カメラ１００に備えられた各ブロックが作業領域として用いられる。
【００３１】
なお、このＤＲＡＭ１１０には、所定期間に読み書き（リード／ライト）可能なデータ量（読み出し速度／書き込み速度）に上限があり、その上限を超えてデータの読み書きを行うことはできない。また、ＤＲＡＭ１１０の代わりに、別の高速な揮発性メモリ又は不揮発性メモリを用いるようにしてもよい。さらに、ＲＡＭ１０９とＤＲＡＭ１１０とは同一の記憶装置上に共存するようにしてもよい。
【００３２】
ＲＯＭ１１１には、制御部１０８で実行されるプログラムなどが格納されている。ＲＯＭ１１１として、例えば、フラッシュＲＯＭが用いられる。なお、ＲＯＭ１１１を用いることなく、記録媒体１１５に格納されたプログラムをＲＡＭ１０９に展開するようにしてもよい。
【００３３】
オンスクリーンディスプレイ（ＯＳＤ）部１１２は、各種設定メニューおよび顔枠などのＯＳＤデータ（表示アイテム）を生成してＤＲＡＭ１１０に配置する。動画像圧縮部１１３は、ＤＲＡＭ１１０に格納された全画角ＹＵＶデータをＭＰＥＧ形式で圧縮して動画像データとしてＤＲＡＭ１１０に格納する。
【００３４】
メディア制御部１１４は、ＤＲＡＭ１１０に格納された動画像データをＦＡＴファイルシステムなどコンピュータと互換のあるフォーマットに従って記録媒体１１５に記録する。
【００３５】
記録媒体１１５として、例えば、メモリーカードなどが用いられる。当該記録媒体は、カメラ１００に対して着脱可能な記録媒体であり、カメラ１００の他、例えば、ＰＣに装着することができる。
【００３６】
アシスト部１１６はＹＵＶデータに対して、ゼブラ表示、ピーキング表示、およびＷＦＭの各種アシスト効果を生成する。そして、アシスト部１１６は当該アシスト効果を重畳したＹＵＶデータをＳＤＩ出力部１１７に送る。
【００３７】
なお、制御部１０８はアシスト部１１６をメニュー設定などの状態に応じて制御して、いずれのアシストを有効化するか又はアシスト自体を無効化して映像信号をＳＤＩ出力部１１７にそのまま転送するかを行う。
【００３８】
ゼブラ表示の有効化が指示されると、ＹＵＶデータに対して所定の輝度以上の映像に、例えば、斜線を設定するなどの画像処理が行われて映像データのいずれの箇所が所定の輝度以上になっているかを示すことができる。
【００３９】
ピーキング表示が有効化されると、ＹＵＶデータについてエッジ検出が行われて、検出したエッジに対して特定の色が重畳されて、映像データのいずれにエッジが存在するかを示すことができる。ＷＦＭが有効化されている場合には、ＹＵＶデータから輝度値を抽出してグラフ形式でプロットされて、映像データに含まれる輝度データを全体的に示すことができる。
【００４０】
ＳＤＩ出力部１１７は、アシスト部１１６の出力であるＹＵＶデータとＯＳＤデータとを合成して外部出力信号としてＳＤＩ１１８を介してＳＤＩモニター１２１に出力する。なお、ＯＳＤデータの合成は必ずしも行う必要はなく、操作部１０７からの操作によって選択するようにしてもよい。
【００４１】
ＳＤＩ（シリアルデータインタフェース）１１８は、ＳＤＩ出力部１１７から送られた外部出力信号をＳＤＩ形式に変更して、ＳＤＩ端子（不図示）を介して第２の転送レートで外部に出力する。また、制御部１０８は、バス１０１を介して、ＳＤＩ１１８から出力される映像信号に重畳するデータ（メタデータ）を設定可能である。
【００４２】
例えば、撮影中のカメラの状態、映像におけるガンマ、およびレンズの状態など映像によって判別できない情報を重畳すれば、映像に加えてカメラの状態を外部装置である表示機器に通知することができる。また、表示機器の代わりに、ＳＤＩ信号を受信して記録する外部レコーダーが接続された場合には、外部レコーダーに対して記録開始／停止を指示する情報をメタデータとして重畳する。
【００４３】
これによって、カメラ１００における操作によって外部レコーダーによる記録開始／停止を制御することができる。
【００４４】
ＨＤＭＩ出力部１１９は、ＤＲＡＭ１１０に格納されたＹＵＶデータとＯＳＤデータとを合成して外部出力信号としてＨＤＭＩ１２０に出力する。なお、ＯＳＤデータの合成は必ずしも行わなくてもよく、操作部１０７による操作によって選択するようにしてもよい。
【００４５】
ＨＤＭＩ（高解像度マルチメディアインタフェース）１２０は、ＨＤＭＩ出力部１１９から送られた外部出力信号をＨＤＭＩ形式に変更して第２の転送レートよりも高い第１の転送レートで外部に出力する。ＨＤＭＩ１２０は接続検知部１２０ａおよび能力情報取得部１２０ｂを有している。
【００４６】
接続検知部１２０ａはＨＤＭＩ端子に対するＨＤＭＩモニター（外部機器）１２２の接続を検知する。能力情報取得部１２０ｂは、ＨＤＭＩ端子に接続されたＨＤＭＩモニター１２２が受信可能な信号に関する情報を通知するためのＥＤＩＤ（Ｅｘｔｅｎｄｅｄ  Ｄｉｓｐｌａｙ  Ｉｄｅｎｔｉｆｉｃａｔｉｏｎ）を取得する。能力情報取得部１２０ｂによって取得されたＥＤＩＤ情報はＤＲＡＭ１１０に格納される。
【００４７】
なお、ここでは、拡大フォーカス用の画像をＲＡＷ処理部１０５で生成するようにしたが、縮小ＹＵＶデータ又は全画角ＹＵＶデータについて、画像の拡大および切り出しを行う。そして、アシスト部１１６で拡大表示用のＹＵＶデータを生成するようにしてもよい。また、アシスト部１１６において適用する拡大フォーカス以外のアシスト効果は、拡大前の画像又は拡大後の画像に適用するようにしてもよい。
【００４８】
さらに、ＨＤＭＩ１２０から４Ｋの全画角の映像信号を出力する場合には、処理済みＲＡＷデータを用いないとしたが、処理済みＲＡＷデータの生成を聴視するようにしてもよい。
【００４９】
上述のバス１０１は、カメラ１００のブロック間において映像データなどの送受を行うためのデータバスである。
【００５０】
なお、カメラ１００は表示装置を内蔵せず、画像などのコンテンツは、ＳＤＩ１１８や、ＨＤＭＩ１２０から外部の表示装置に出力されることで確認され得る。
【００５１】
図２は、図１に示すカメラで行われる出力処理の一例を説明するためのフローチャートである。なお、図示のフローチャートに係る処理は、制御部１０８がＲＯＭ１１１に格納されたプログラムをＤＲＡＭ１１０に展開して実行することによって行われる。
【００５２】
出力処理を開始すると、ステップＳ２０１では、制御部１０８は、接続検知部１２０ａによってＨＤＭＩ端子に外部機器が接続された否かを判定する。制御部１０８がＨＤＭＩ端子に外部機器が接続されたと判定した場合、処理はステップＳ２０６に進む。一方、制御部１０８がＨＤＭＩ端子に外部機器が接続されていないと判定した場合、処理はステップＳ２０２に進む。
【００５３】
ステップＳ２０２では、制御部１０８は、ＨＤＭＩ１２０から映像信号が出力中であるか否かを判定する。当該判定処理の際には、例えば、制御部１０８はＤＲＡＭ１１０に格納した接続状態を示すフラグを参照する。なお、制御部１０８はＨＤＭＩ出力部１１９の状態を直接確認して判定処理を行うようにしてもよい。
【００５４】
制御部１０８がＨＤＭＩ１２０から映像信号が出力中であると判定した場合、処理はステップＳ２０３に進む。一方、制御部１０８がＨＤＭＩ１２０から映像信号が出力中でないと判定した場合、処理はステップＳ２０４に進む。
【００５５】
ステップＳ２０３では、制御部１０８は、ＨＤＭＩ出力部１１９を制御してＨＤＭＩ１２０に対する映像信号の出力を停止する。そして、制御部１０８は、ＤＲＡＭ１１０に格納されＨＤＭＩ１２０の出力状態を示すフラグをＨＤＭＩ出力の停止を示す状態に変更する。
【００５６】
続いて、ステップＳ２０４では、制御部１０８はＳＤＩ１１８から映像信号が出力中であるか否かを判定する。該判定処理の際には、例えば、制御部１０８はＤＲＡＭ１１０に格納したフラグを参照する。なお、制御部１０８はＳＤＩ出力部１１７の状態を直接確認して判定処理を行うようにしてもよい。
【００５７】
ＳＤＩ１１８から映像信号が出力中であると判定した場合、制御部１０８は出力処理を終了する。一方、制御部１０８がＳＤＩ１１８から映像信号が出力中でないと判定した場合、処理はステップＳ２０５に進む。
【００５８】
ステップＳ２０５では、制御部１０８は、アシスト部１１６およびＳＤＩ出力部１１７を有効化して、予め設定された撮影アシスト機能が適用された映像信号をＳＤＩ１１８に送信する。
【００５９】
この際には、制御部１０８は、ＤＲＡＭ１１０に格納されＳＤＩ１１８の出力状態を示すフラグをＳＤＩ出力の状態に変更する。さらに、ＲＡＷ処理部１０５がＲＡＷデータを生成していない状態であると、制御部１０８は全画角ＲＡＷデータ、縮小ＲＡＷデータ、又は切り出しＲＡＷデータを生成するようにＲＡＷ処理部１０５を制御する。
【００６０】
なお、いずれの撮影アシスト機能も有効化されていない場合には、アシスト部１１６はＤＲＡＭ１１０から読み込んだＹＵＶデータをそのままＳＤＩ出力部１１７に転送する。ステップＳ２０５の処理の後、制御部１０８は出力処理を終了する。
【００６１】
このようにして、ステップＳ２０１からＳ２０５によって、ＨＤＭＩ１２０に外部機器が接続されていない場合には、制御部１０８はＳＤＩ１１８から映像信号を出力する。
【００６２】
ステップＳ２０６では、制御部１０８は、撮影アシスト機能が有効化されているか否かを判定する。ここでは、制御部１０８は、拡大フォーカス、ゼブラ、ピーキング、およびＷＦＭのいずれかの適用が操作部１０７から指示されていると、撮影アシスト機能が有効化されていると判定する。
【００６３】
制御部１０８が撮影アシスト機能が無効であると判定した場合（予め定められた条件が満たされた場合）、処理はステップＳ２０７に進む。一方、制御部１０８が撮影アシスト機能が有効化されていると判定した場合、処理はステップＳ２０２に進む。
【００６４】
なお、制御部１０８は操作部１０７による指示に応じて撮影アシスト機能の状態をＤＲＡＭ１１０にフラグとして格納して、当該フラグを参照して、撮影アシスト機能の有効化を判定するようにしてもよい。
【００６５】
ステップＳ２０７では、制御部１０８は、能力情報取得部１２０ｂによって、ＨＤＭＩ端子に接続された外部機器のＥＤＩＤを読み込む。続いて、ステップＳ２０８では、制御部１０８は、ＤＲＡＭ１１０に格納されたＥＤＩＤを解析する。そして、制御部１０８は解析結果に基づいて、ＨＤＭＩ端子に接続された外部機器において受信可能な映像信号の種類を検知する。
【００６６】
次に、ステップＳ２０９では、制御部１０８は、ＨＤＭＩ１２０から出力する映像信号がＨＤＭＩ端子に接続された外部機器で受信可能か否かを判定する。制御部１０８が受信可能でないと判定した場合、処理はステップＳ２０２に進む。一方、制御部１０８が受信可能であると判定した場合、処理はステップＳ２１０に進む。
【００６７】
例えば、ＨＤＭＩ１２０から４Ｋ解像度の映像信号を出力する設定がなされている際に、２Ｋ解像度まで映像信号の受信に対応する外部機器がＨＤＭＩ端子に接続されたとする。この場合、制御部１０８は受信可能でないと判定して、ステップＳ２０２に進む。一方、４Ｋ解像度まで映像信号の受信に対応する外部機器がＨＤＭＩ端子に接続された場合には、制御部１０８は受信可能であると判定して、ステップＳ２１０に進む。
【００６８】
ステップＳ２１０では、制御部１０８は、ＳＤＩ１１８から映像信号が出力中であるか否かを判定する。当該判定処理の際には、例えば、制御部１０８はＤＲＡＭ１１０に格納したフラグを参照する。
【００６９】
なお、制御部１０８はＳＤＩ出力部１１７の状態を直接確認して判定処理を行うようにしてもよい。制御部１０８がＳＤＩ１１８から映像信号が出力中であると判定した場合、処理はステップＳ２１１に進む。一方、制御部１０８がＳＤＩ１１８から映像信号が出力中でないと判定した場合、処理はステップＳ２１２５に進む。
【００７０】
ステップＳ２１１では、制御部１０８は、アシスト部１１６およびＳＤＩ出力部１１７を制御して、ＳＤＩ１１８に対する映像信号の出力を停止する。出力状態をＤＲＡＭ１１０に記録されたフラグで管理している場合には、制御部１０８はフラグをＳＤＩの出力が停止された状態に変更する。なお、この場合には、制御部１０８はアシスト部１１６を停止しても停止しなくてもどちらでもよい。
【００７１】
ステップＳ２１２では、制御部１０８は、ＨＤＭＩ１２０から映像信号が出力中であるか否かを判定する。当該判定処理の際には、例えば、制御部１０８はＤＲＡＭ１１０に格納されたフラグを参照する。
【００７２】
なお、制御部１０８はＨＤＭＩ出力部１１９の状態を直接確認するようにしてもよい。ＨＤＭＩ１２０から映像信号が出力中であると判定した場合、制御部１０８は出力処理を終了する。一方、制御部１０８がＨＤＭＩ１２０から映像信号が出力中でないと判定した場合、処理はステップＳ２１３に進む。
【００７３】
ステップＳ２１３では、制御部１０８は、ＨＤＭＩ出力部１１９を有効化して、映像信号をＨＤＭＩ１２０に送信する。なお、ＨＤＭＩ出力部１１９は、ステップＳ２０３においてＨＤＭＩ１２０の出力が停止されるまで継続して動作する。また、ＨＤＭＩ出力部１１９の状態をＤＲＡＭ１１０に格納されたフラグで管理している場合には、制御部１０８は当該フラグをＨＤＭＩ１２０が出力中であることを示す状態に変更する。その後、制御部１０８は出力処理を終了する。
【００７４】
このように、本発明の第１の実施形態では、撮影アシスト機能が有効化された状態においては、ＨＤＭＩ端子に外部機器が接続されてもＨＤＭＩ１２０の接続を行うことなくＳＤＩ１１８の映像出力を継続する。これによって、撮影アシスト機能を継続して用いることができる。その結果、映像出力端子毎に映像出力および機能に制限を設けたとしても、ユーザーの利便性を高くすることができる。
【００７５】
［第２の実施形態］
続いて、本発明の第２の実施形態によるカメラの一例について説明する。なお、第２の実施形態によるカメラの構成は、図１に示すカメラと同様であるので、ここでは説明を省略する。
【００７６】
図３は、本発明の第２の実施形態によるカメラにおける出力処理の一例を説明するためのフローチャートである。なお、図示のフローチャートに係る処理は、制御部１０８がＲＯＭ１１１に格納されたプログラムをＤＲＡＭ１１０に展開して実行することによって行われる。
【００７７】
図示のステップＳ３０１〜Ｓ３０５の処理は、それぞれ図２に示すステップＳ２０１〜Ｓ２０５と同様であるので説明を省略する。
【００７８】
ステップＳ３０１において、制御部１０８がＨＤＭＩ端子に外部機器が接続されたと判定した場合、処理はステップＳ３０６に進む。一方、制御部１０８がＨＤＭＩ端子に外部機器が接続されていないと判定した場合、処理はステップＳ３０２に進む。
【００７９】
ステップＳ３０６では、制御部１０８は、記録媒体１１５に映像信号を記録中であるか否かを判定する。例えば、制御部１０８は操作部１０７における記録開始又は記録停止の履歴をＤＲＡＭ１１０に逐次保存する。そして、制御部１０８は当該履歴に基づいて、記録媒体１１５に映像信号を記録中であるか否かを判定する。
【００８０】
制御部１０８が記録媒体１１５に映像信号を記録中であると判定した場合、処理はステップＳ３０２に進む。一方、制御部１０８が記録媒体１１５に映像信号を記録中でないと判定した場合（予め定められた条件が満たされた場合）、処理はステップＳ３０７に進む。
【００８１】
なお、動画像圧縮部１１３又はメディア制御部１１４などのカメラ１００の各部における動作状態に基づいて、制御部１０８は記録媒体１１５に映像信号を記録中であるか否かを判定するようにしてもよい。
【００８２】
図３に示すステップＳ３０７〜Ｓ３１３の処理は、それぞれ図２に示すステップＳ２０７〜Ｓ２１１の処理と同様であるので、説明を省略する。
【００８３】
このように、本発明の第２の実施形態では、映像の記録中にＨＤＭＩ１２０に外部機器が接続された場合には、ＨＤＭＩ１２０の接続を行わず、ＳＤＩ１１８に対する映像の出力を継続する。これによって、ユーザーは映像のモニタリングを継続することができる。その結果、映像出力端子毎に映像出力および機能に制限を設けたとしても、ユーザーの利便性を高くすることができる。
【００８４】
上述の第１および第２の実施形態では、ＳＤＩ端子を１つ備える場合について説明したが、複数のＳＤＩ端子を備えるようにしてもよい。この場合には、制御部１０８は各ＳＤＩ端子を独立して制御するようにしてもよく、複数のＳＤＩ端子に対して同一の映像信号を出力するように制御してもよい。
【００８５】
さらに、ＳＤＩ端子の代わりに、着脱可能なパネルを接続可能な端子を搭載するようにしてもよい。この場合パネルが装着されていると、制御部１０８はステップＳ２０６又はＳ３０６の判定処理を行わず、ＨＤＭＩ端子が接続されると、撮影アシスト機能が有効であるか無効であるかに拘わらず、ＨＤＭＩ端子の接続を試みる制御を行うようにしてもよい。
【００８６】
また、ＨＤＭＩ１２０の出力とＳＤＩ１１８の出力とを切り替える制御について説明したが、ＳＤＩ１１８の出力にのみ影響する撮影アシスト機能の有効又は無効についてはＳＤＩ１１９の出力中における任意のタイミングで切り替えを行うことができる。
【００８７】
上述の第１および第２の実施形態では、イメージセンサー１０２を有するカメラなどの画像処理装置に適用した場合を例に挙げて説明したが、この例に限定されず、入力された画像をリサイズして表示する電子機器であれば適用可能である。例えば、外部入力端子から入力された動画像を、拡大して表示装置に出力するとともに、外部又は内蔵の記録媒体に記録する動画レコーダーに適用可能である。
【００８８】
同様に、本発明はパーソナルコンピュータやＰＤＡ、携帯電話端末や携帯型の画像ビューワ、ディスプレイを備えるプリンタ装置、デジタルフォトフレーム、などに適用可能である。また、音楽プレーヤー、ゲーム機、電子ブックリーダー、タブレット端末、スマートフォン、投影装置、ディスプレイを備える家電装置や車載装置などに適用可能である。
【００８９】
以上、本発明について実施の形態に基づいて説明したが、本発明は、これらの実施の形態に限定されるものではなく、この発明の要旨を逸脱しない範囲の様々な形態も本発明に含まれる。
【００９０】
例えば、上記の実施の形態の機能を制御方法として、この制御方法を画像処理装置に実行させるようにすればよい。また、上述の実施の形態の機能を有するプログラムを制御プログラムとして、当該制御プログラムを画像処理装置が備えるコンピュータに実行させるようにしてもよい。なお、制御プログラムは、例えば、コンピュータに読み取り可能な記録媒体に記録される。
【００９１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９２】
１０３  イメージセンサー
１０５  ＲＡＷ処理部
１０６  画像生成部
１０７  操作部
１０８  制御部
１１６  アシスト部
１１７  ＳＤＩ出力部
１１８  ＳＤＩ
１１９  ＨＤＭＩ出力部
１２０  ＨＤＭＩ
【図１】
2018201076.tif 000003
【図２】
2018201076.tif 000004
【図３】
2018201076.tif 000005